(57)【特許請求の範囲】
【請求項１】
前端に発射口を有する筒体の内部に、火薬体と、この火薬体に通し付けられて上記筒体の後端穴から導出する引紐と、上記火薬体と上記発射口との間に前後にして配される１個もしくは２個以上の噴出物と受圧板とを収納しており、上記引紐の引っ張り操作で上記火薬体が爆発し、この爆発圧を上記受圧板が受圧して上記噴出物を上記発射口から前方へ空中発射させるようにしてあるクラッカーにおいて、
上記各噴出物が、適当な巻き長さを有する複数個の小巻きテープと、この各小巻きテープを外周接合状態に結束する外巻きテープ環とからなり、この外巻テープ環の内周面部に上記各小巻きテープの巻終端部をそれぞれ接着固定してなり、  上記複数個の小巻きテープの中の１つを延出用テープとし、この延出用テープの巻心部の巻始端部を解いて上記筒体側に一体的に結合してあることを特徴とするクラッカー。
【請求項２】
前端に発射口を有する筒体の内部に、火薬体と、この火薬体に通し付けられて上記筒体の後端穴から導出する引紐と、上記火薬体と上記発射口との間に前後にして配される１個もしくは２個以上の噴出物及び受圧板とを収納しており、上記引紐の引っ張り操作で上記火薬体が爆発し、この爆発圧を上記受圧板が受圧して上記噴出物を上記発射口から前方へ空中発射させるようにしてあるクラッカーにおいて、
上記各噴出物が、適当な巻き長さを有する複数個の小巻きテープを外周接合状態に集合してなる小巻きテープ集合体と、この小巻きテープ集合体の外周に多重に巻回された適当な巻き長さを有する１本のテープや紐よりなる外巻き体とからなり、この外巻き体の最内周面部に上記各小巻きテープの巻終端部をそれぞれ接着固定してなり、
上記外巻き体の巻終端部を解いて上記筒体側に一体的に結合してあることを特徴とするクラッカー。
【請求項３】
前端に発射口を有する筒体の内部に、火薬体と、この火薬体に通し付けられて上記筒体の後端穴から導出する引紐と、上記火薬体と上記発射口との間に前後にして配される１個もしくは２個以上の噴出物と受圧板とを収納しており、上記引紐の引っ張り操作で上記火薬体が爆発し、この爆発圧を上記受圧板が受圧して上記噴出物を上記発射口から前方へ空中発射させるようにしてあるクラッカーにおいて、
上記各噴出物が、適当な巻き長さを有する複数個の小巻きテープからなり、この複数個の小巻きテープは外周接合状態に集合し、集合した複数個の小巻きテープの中の１つの小巻きテープの巻終端部を解いて他の小巻きテープの外周に延出し、他の小巻きテープの巻終端部をその外周に延出された前記の１つの小巻きテープの巻終端部に並べて順次接続し、また前記の１つの小巻きテープの巻終端部の最も端側に巻終端部が接続された最後尾の小巻きテープの巻始端部を解いて上記筒体側に一体的に結合してあることを特徴とするクラッカー。
【発明の詳細な説明】
【０００１】
【発明の属する技術分野】
本発明は、クリスマスや結婚式の祝宴などに用いられ、引紐の引っ張り操作で爆発音をたてるとともに小巻きテープよりなる噴出物を空中に発射させるクラッカーに関する。
【０００２】
【従来の技術】
この種のクラッカーとして、爆発に伴い空中へ飛び出す小巻きテープが筒体から分離、離脱してクラッカーの使用場所の周囲に広く散乱することのないように、小巻きテープの巻終端部を筒体の内面に接着テープや糊などで貼り付けたり、あるいは筒体に保持された受圧板に一体的に取り付けたりしたもの（例えば、特開平８−１３６１９６号公報）は公知である。
【０００３】
【発明が解決しようとする課題】
しかるに、小巻きテープの発射後の散乱防止対策として小巻きテープの巻終端部を筒体又は受圧板に一体的に結合する上記クラッカーでは、筒体の発射口からの小巻きテープの自由な飛び出しが規制されるため、空中に自由に高く、遠くへ飛ばず、クラッカー本来の機能である興趣性、演出効果が低下半減することを知見した。
【０００４】
そこで、本発明の目的は、このような問題を解消するためになされたもので、発射後の噴出物の散乱防止を確保しながら飛距離を必要かつ十分に伸ばすことができて興趣性、演出効果の高いクラッカーを提供することにある。
【０００５】
【課題を解決するための手段】
本発明の請求項１、請求項２及び請求項３に係る発明の前提とするクラッカーは、前端に発射口（２）を有する筒体（１）の内部に、火薬体（４）と、この火薬体（４）に通し付けられて上記筒体（１）の後端穴（９）から導出する引紐（５）と、上記火薬体（４）と上記発射口（２）との間に前後にして配される１個もしくは２個以上の噴出物（６）と受圧板（７）とを収納しており、上記引紐（５）の引っ張り操作で上記火薬体（４）が爆発し、この爆発圧を上記受圧板（７）が受圧して上記噴出物（６）を発射口（２）から前方へ空中発射させるようにしてあるものである。
【０００６】
そのうえで、請求項１に係る発明は、上記各噴出物（６）が、適当な巻き長さを有する複数個の小巻きテープ（１０）と、この各小巻きテープ（１０）を外周接合状態に結束する外巻きテープ環（１１）とからなり、この外巻テープ環（１１）の内周面部に上記各小巻きテープ（１０）の巻終端部（１０ｂ）をそれぞれ接着固定してなり、上記複数個の小巻きテープ（１０）の中の１つを延出用テープ（１２）とし、この延出用テープ（１２）の巻心部の巻始端部（１２ａ）を解いて上記筒体（１）側に一体的に結合してあることに特徴を有するものである。
ここに、筒体（１）側とは、筒体（１）それ自体、上記火薬体（４）から前方へ延出させる引紐（５）の前方延出端部（５ｂ）、筒体（１）に離脱不能に装着される受圧板（７）などを含む意味に用いており、したがって、上記延出用テープ（１２）の巻始端部（１２ａ）が、筒体（１）それ自体に直接一体的に結合されるもの、上記引紐（５）の前方延出端部（５ｂ）に一体的に結合されるもの、上記受圧板（７）に一体的に結合されるものなど全ての場合が含まれるというものである。
【０００７】
請求項２に係る発明は、上記各噴出物（６）が、適当な巻き長さを有する複数個の小巻きテープ（１０）を外周接合状態に集合してなる小巻きテープ集合体（１５）と、この小巻きテープ集合体（１５）の外周に多重に巻回された適当な巻き長さを有する１本のテープや紐よりなる外巻き体（１６）とからなり、この外巻き体（１６）の最内周面部（１６ａ）に上記各小巻きテープ（１０）の巻終端部（１０ｂ）をそれぞれ接着固定してなり、上記外巻き体（１６）の巻終端部（１６ｂ）を解いて前記筒体（１）側に一体的に結合してあることに特徴を有するものである。
ここに、筒体（１）側とは、上記請求項１に係る発明の場合に注釈したと同様な意義を有する。
【０００８】
請求項３に係る発明は、上記各噴出物（６）が、適当な巻き長さを有する複数個の小巻きテープ（１０）からなり、この複数個の小巻きテープ（１０）は外周接合状態に集合し、集合した複数個の小巻きテープ（１０）の中の１つの小巻きテープ（１０）の巻終端部（１０ｂ）を解いて他の小巻きテープ（１０）の外周に延出し、他の小巻きテープ（１０）の巻終端部（１０ｂ）をその外周に延出された前記の１つの小巻きテープ（１０）の巻終端部（１０ｂ）に並べて順次接続し、また前記の１つの小巻きテープ（１０）の巻終端部（１０ｂ）の最も端側に巻終端部（１０ｂ）が接続された最後尾の小巻きテープ（１７）の巻始端部（１７ａ）を解いて上記筒体（１）側に一体的に結合してあることに特徴を有するものである。
ここに、筒体（１）側とは、上記請求項１に係る発明の場合に注釈したと同様な意義を有する。
【０００９】
【作用】
請求項１に係る発明においては、噴出物（６）は火薬体（４）の爆発圧で筒体（１）の発射口（２）から前方へ空中発射するが、このとき、最初は延出用テープ（１２）が１本のテープとして解れて開き、これが完全に解ぐれ終わったところで今度は残りの小巻きテープ（１０）が外巻テープ環（１１）から飛び出し、恰も１本のテープが途中から枝別れするように図３のごとく開いて飛行する。このとき、延出用テープ（１２）の巻き長さ分だけ小巻きテープ（１０）を高く遠くへ飛ばすことができ、つまり飛距離を伸ばすことができ、また飛行後は複数個の小巻きテープ（１０）は延出用テープ（１２）で筒体（１）側とつながれたままであるので、筒体（１）から離脱して周囲に散乱することがない。
【００１０】
請求項２に係る発明においては、請求項１に記載の発明の場合と同様に、噴出物（６）は火薬体（４）の爆発圧で筒体（１）の発射口（２）から前方へ空中発射するが、このとき、最初は外巻き体（１６）が１本のテープあるいは紐として解れて開き、これが完全に解ぐれ終わったところで今度は残りの小巻きテープ（１０）が解ぐれ開いて飛行し、恰も１本のテープが途中から枝別れするように図６のごとく開いて飛行する。このとき、外巻き体（１６）の巻き長さ分だけ小巻きテープ（１０）を高く遠くへ飛ばすことができ、また飛行後は複数個の小巻きテープ（１０）は外巻き体（１６）で筒体（１）側とつながれたままであるので、筒体（１）から離脱して周囲に散乱することがない。
【００１１】
請求項３に係る発明においては、これ又請求項１に記載の発明の場合と同様に、噴出物（６）は火薬体（４）の爆発圧で筒体（１）の発射口（２）から前方へ空中発射するが、このとき、最初は最後尾の小巻きテープ（１７）が１本のテープとして解れて開き、これが完全に解ぐれ終わったところで今度は残りの小巻きテープ（１０）がそれぞれ解ぐれ開いて飛行する。このとき、最後尾の小巻きテープ（１７）の巻き長さ分だけ残りの小巻きテープ（１０）を高く遠くへ飛ばすことができ、また飛行後は最後尾の小巻きテープ（１７）で残りの小巻きテープ（１０）が筒体（１）側につながれたままであるので、残りの小巻きテープ（１０）が筒体（１）から離脱して周囲に散乱することがない。
【００１２】
【発明の実施の形態】
（第１実施例）
図１は本発明の第１実施例を示すクラッカーの縦断面図、図２は同クラッカーの噴出物の平面図、図３は同クラッカーを使用状態で示した斜視図である。
【００１３】
図１に示すように、このクラッカーは前方へ至るに従い径大な円錐状の紙製の筒体１の前端に、発射口２を形成するとともに、筒体１の前端に折曲自在に連設した蓋部３で発射口２を開放可能に塞いでいる。筒体１の内部には火薬体４と、火薬体４に通し付けられた引紐５と、発射口２と火薬体４との間に前後にして配される噴出物６及び受圧板７と、引紐５の火薬体４より後ろ側に移動自在に挿通された漏斗形の火薬体受け座８とを収納している。火薬体受け座８より後方へ延出する引紐５の後端部５ａは筒体１の後端穴９から外部へ導出している。
【００１４】
上記噴出物６は、図２に示すように、適当な巻き長さ（例えば２ｍ）を有する複数個（図示例では４個）の小巻きテープ１０と、この各小巻きテープ１０を外周接合状態に結束する外巻きテープ環１１とからなり、各小巻きテープ１０の巻終端部１０ｂは外巻テープ環１１の内周面部に接着固定してなる。複数個の小巻きテープ１０の中の１つを延出用テープ１２とし、この延出用テープ１２の巻心部の巻始端部１２ａを解いて受圧板７の中央穴１３に通して、火薬体４より前方へ延出した引紐５の前方延出端部５ｂと一体的に結び付けている。延出用テープ１２の巻終端部１２ｂは、他の小巻きテープ１０の巻終端部１０ｂと同様に、外巻テープ環１１の内周面部に接着固定している。小巻きテープ１０、延出用テープ１２は紙製のカラーテープ、あるいはプラスチックフィルムよりなるテープ基材にアルミニウム等の金属を蒸着したものなどである。
【００１５】
上記構成のクラッカーにおいては、引紐５の後端部５ａを後方へ強く引っ張って火薬体４を爆発させると、蓋部３は爆風を受圧板７を介して受けることにより開いて発射口２を開放し、噴出物６が発射口２から前方へ向けて発射する。このとき、最初は延出用テープ１２が１本のテープとして解れて開き、これが完全に解ぐれ終わったところで今度は残りの小巻きテープ１０が外巻テープ環１１から飛び出し、恰も１本のテープが途中から枝別れするように図３のごとく開いて飛行する。このとき、延出用テープ１２が巻き状態から伸長する長さ分だけ小巻きテープ１０の飛距離を伸ばすことができ、小巻きテープ１０を高く遠くへ飛ばすことができる。また、飛行後は複数個の小巻きテープ１０は延出用テープ１２で筒体１内の引紐５と連なった状態に保たれているため、小巻きテープ１０が周囲に散乱することがなく、これをいちいち拾い集めるような手間が省略される。
【００１６】
（第２実施例）
図４は本発明の第２実施例を示すクラッカーの縦断面図、図５は同クラッカーの噴出物の平面図、図６は同クラッカーを使用状態で示した斜視図である。
【００１７】
図４に示すように、このクラッカーは、図１に示すクラッカーと同様に、前端に蓋部３で開放可能に塞がれた発射口２を有する筒体１の内部に、火薬体４と、火薬体４に通し付けられた引紐５と、発射口２と火薬体４との間に前後にして配される噴出物６及び受圧板７と、引紐５の火薬体４より後ろ側に移動自在に挿通された漏斗形の火薬体受け座８とを収納している。火薬体受け座８より後方へ延出する引紐５の後端部５ａは筒体１の後端穴９から外部へ導出している。
【００１８】
上記噴出物６は、図５に示すように、適当な巻き長さ（例えば２ｍ）を有する複数個（図示例では４個）の小巻きテープ１０を外周接合状態に集合してなる小巻きテープ集合体１５と、この小巻きテープ集合体１５の外周に多重に巻回された適当な巻き長さ（例えば２ｍ）を有する１本のテープや紐よりなる外巻き体１６とからなり、外巻きテープ１６の最内周面部１６ａに各小巻きテープ１０の巻終端部１０ｂを接着固定してなる。そして外巻き体１６の巻終端部１６ｂは解き、火薬体４より前方へ延出した引紐５の前方延出端部５ｂを受圧板７の中央穴１３より上方へ通したうえで、前記巻終端部１６ｂと前方延出端部５ｂとを一体的に結び付けている。
【００１９】
この実施例の上記クラッカーにおいても、第１実施例の場合と同様に、引紐５の後端部５ａを後方へ強く引っ張って火薬体４を爆発させると、蓋部３は爆風を受圧板７を介して受けることにより開いて発射口２を開放し、噴出物６が発射口２から前方へ向けて発射する。このとき、最初は外巻き体１６が１本のテープあるいは紐として解れて開き、これが完全に解ぐれ終わったところで今度は残りの小巻きテープ１０が解ぐれ開いて飛行し、恰も１本のテープが途中から枝別れするように図６のごとく開いて飛行する。このとき、外巻き体１６の巻き長さ分だけ小巻きテープ１０を高く遠くへ飛ばすことができる。また、飛行後は複数個の小巻きテープ１０は外巻き体１６で筒体１内の引紐５と連なった状態に保たれているため、小巻きテープ１０が周囲に散乱することがなく、これをいちいち拾い集めるような手間が省略される。
【００２０】
（第３実施例）
図７は本発明の第３実施例を示すクラッカーの縦断面図、図８は同クラッカーの噴出物の平面図、図９は同クラッカーを使用状態で示した斜視図である。
【００２１】
図７に示すように、このクラッカーは、図１に示すクラッカーと同様に、前端に蓋部３で開放可能に塞がれた発射口２を有する筒体１の内部に、火薬体４と、火薬体４に通し付けられた引紐５と、発射口２と火薬体４との間に前後にして配される噴出物６及び受圧板７と、引紐５の火薬体４より後ろ側に移動自在に挿通された漏斗形の火薬体受け座８とを収納している。火薬体受け座８より後方へ延出する引紐５の後端部５ａは筒体１の後端穴９から外部へ導出している。
【００２２】
上記噴出物６は、図８に示すように、適当な巻き長さ（例えば２ｍ）を有する複数個（図示例では４個）の小巻きテープ１０からなり、この複数個の小巻きテープ１０は外周接合状態に集合し、集合した複数個の小巻きテープ１０の中の１つの小巻きテープ１０の巻終端部１０ｂを解いて他の小巻きテープ１０の外周に延出し、他の小巻きテープ１０の巻終端部１０ｂをその外周に延出された前記の１つの小巻きテープ１０の巻終端部１０ｂに並べて順次接続し、また前記の１つの小巻きテープ１０の巻終端部１０ｂの最も端側に巻終端部１０ｂが接続された最後尾の小巻きテープ１７の巻始端部１７ａを解いて受圧板７の中央穴１３に通して、火薬体４より前方へ延出した引紐５の前方延出端部５ｂと一体的に結び付けている。
【００２３】
この実施例の上記クラッカーにおいても、第１実施例の場合と同様に、引紐５の後端部５ａを後方へ強く引っ張って火薬体４を爆発させると、蓋部３は爆風を受圧板７を介して受けることにより開いて発射口２を開放し、噴出物６が発射口２から前方へ向けて発射する。このとき、最初は最後尾の小巻きテープ１７が１本のテープとして解れて開き、これが完全に解ぐれ終わったところで今度は残りの小巻きテープ１０がそれぞれ解ぐれ開いて飛行する。このとき、最後尾の小巻きテープ１７の巻き長さ分だけ残りの小巻きテープ１０を高く遠くへ飛ばすことができ、また飛行後は最後尾の小巻きテープ１７で残りの小巻きテープ１０は筒体１内の引紐５と連なった状態に保たれているため、小巻きテープ１０が周囲に散乱することがなく、これをいちいち拾い集めるような手間が省略される。
【００２４】
第１、２、３の各実施例の筒体１は円錐状に形成するが、多角形の角錐状、あるいは円筒状に形成することもできる。また筒体１は紙製のものに代えて、プラスチック製のものであってもよい。
第１実施例の延出用テープ１２の巻始端部１２ａ、第２実施例の外巻き体１６の巻終端部１６ｂ、および第３実施例の最後尾の小巻きテープ１７の巻始端部１７ａはそれぞれ、引紐５の前方延出端部５ｂと一体的に結び付けているが、これに限られず、第１実施例の延出用テープ１２の巻始端部１２ａ、第２実施例の外巻き体１６の巻終端部１６ｂ、および第３実施例の最後尾の小巻きテープ１７の巻始端部１７ａはそれぞれ、筒体１それ自体や蓋部３に直接に、あるいは筒体１に離脱不能に装着される受圧板７に結び付けたり又は接着テープや糊などで一体的に結合することもできる。
また第１、２、３の各実施例の図示例では噴出物６が１個しか筒体１に収納されてないが、その２個以上を筒体１に収納することもできる。
【００２５】
【発明の効果】
本発明の請求項１、２、３記載のクラッカーによれば、延出用テープ、外巻き体、または最後尾の小巻きテープなどのいわば延出用連結部材でもって、小巻きテープと筒体側とを連結してあるので、爆発後に小巻きテープが筒体から離脱して周囲に散乱することがないばかりか、小巻きテープの飛距離を十分に伸ばすことができてクラッカー本来の興趣性、演出効果を高めることができるという利点がある。
【図面の簡単な説明】
【図１】  第１実施例を示すクラッカーの縦断面図である。
【図２】  同クラッカーの噴出物の平面図である。
【図３】  同クラッカーを使用状態を示す斜視図である。
【図４】  第２実施例を示すクラッカーの縦断面図である。
【図５】  同クラッカーの噴出物の平面図である。
【図６】  同クラッカーを使用状態を示す斜視図である。
【図７】  第３実施例を示すクラッカーの縦断面図である。
【図８】  同クラッカーの噴出物の平面図である。
【図９】  同クラッカーを使用状態を示す斜視図である。
【符号の説明】
１  筒体
２  発射口
３  蓋部
４  火薬体
５  引紐
６  噴出物
７  受圧板
９  後端穴
１０  小巻きテープ
１１  外巻きテープ環
１２  延出用テープ
１５  小巻きテープ集合体
１６  外巻き体
１７  最後尾の小巻きテープ
【図１】
0004065621.tif 000002
【図２】
0004065621.tif 000003
【図３】
0004065621.tif 000004
【図４】
0004065621.tif 000005
【図５】
0004065621.tif 000006
【図６】
0004065621.tif 000007
【図７】
0004065621.tif 000008
【図８】
0004065621.tif 000009
【図９】
0004065621.tif 000010